(57)【特許請求の範囲】
【請求項１】
内部に蛍光灯、電球等の照明器具を配置し、固定式または字幕式の表示を具備し、前記照明器具によって前記表示を内照するようにした内照式、あるいは、発光素子をマトリックス状に配置した標識装置において、
前記標識装置の底板に形成した水抜き孔を閉塞する弁部を備えた可撓性を有するフィルムシートを取付けたことを特徴とする標識装置。
【請求項２】
前記フィルムシートは、前記弁部が前記水抜き孔に対して隙間を形成するようにスペーサを介して取付けられていることを特徴とする請求項１記載の標識装置。
【発明の詳細な説明】
【０００１】
【発明の属する技術分野】
本発明は、内部に蛍光灯、電球等の照明器具を配置し、固定式または字幕式の表示を具備し、前記照明器具によって前記表示を内照するようにした内照式、あるいは、発光素子を前面にマトリックス状に配置した標識装置において、結露によって標識装置内に溜まる水を排出するための水抜き部分の改良に関する。
【０００２】
【従来の技術】
従来、図４に示す如き道路上に設置される標識装置や工事車両に積載される標識装置１内には、蛍光灯等の照明器具１１が収納されており、そのため、冬場などにおいて標識装置１内と外部温度との差が大きくなると結露が発生して標識装置１内に水が溜まる。そこで、標識装置１の底板１２には結露水の排水のために図５に示す水抜き孔１２ａを形成し、この孔１２ａから排水するようにしている。
【０００３】
なお、通常は前記水抜き孔１２ａは底板１２の２ヵ所または３ヵ所形成されており、また、各水抜き孔１２ａの下面には水抜き用カバー２がタッピングネジ（図示せず）によって取付けられ、この水抜き用カバー２にも前記水抜き孔１２ａとは位置をずらして水抜き孔２１が形成されている（図５を参照）。
【０００４】
【発明が解決しようとする課題】
ところで、前記した道路上に設置された標識装置１において、強風が吹いた場合や、積載用の標識装置１において車両が発進したり停止した場合、該標識装置１は表示窓１３が振動して標識装置１全体が呼吸することになる。
【０００５】
すなわち、図６(a),(b) に示す如き横幅が１８００mm、高さが１２００mmの大きさの標識装置１において、強風あるいは車両の発進時に表示面が1mm 内部側に撓んだとすると、各水抜き孔１２ａ，２１から以下の通りの空気の流通が行なわれることになる。
【０００６】
標識装置１における表示面の撓みが四角錐となったとすると、その体積Ｖは、
Ｖ＝１／３・ｈａ
ｈ：歪みの深さ
ａ：表示面の面積
Ｖ＝１／３×１×（１８００×１２００）＝７２０００mm3 
【０００７】
この体積の空気が直径１０mmの３個の水抜き孔１２ａ，２１で流入出するわけであるから、１個当たりの水抜き孔１２ａで流入出する空気は２４０００mm3 となる。従って、
２４０００＝πｒ2 ×Ｈ
ｒ：水抜き孔１２ａの半径
Ｈ：水抜き孔１２ａを通過する空気の移動量
Ｈ＝２４０００／πｒ2 
＝３０５mm
つまり、各水抜き孔１２ａ付近の空気（湿気を含んだ空気）は、３０５mm近く移動することになる。
【０００８】
そこで、前記した水抜き孔１２ａ，２１から湿気を含んだ空気が標識装置１内に勢いよく吸引され、特に、冬季において路面上に散布される凍結防止剤（塩化ナトリウムなど）が飛散している場合には、その霧が吸引されることになる。この湿気を含んだ空気および凍結防止剤が吸引されると、内部に錆が発生して標識装置１を腐食することとなり、標識装置１の信頼性が低下するといった問題が発生した。
【０００９】
本発明は前記した問題点を解決せんとするもので、その目的とするところは、水抜きに支障を来すことなく、標識装置が呼吸状態にあっても湿気を含んだ空気や飛散している凍結防止剤を標識装置内に吸引しないように改良した標識装置を提供せんとするにある。
【００１０】
【課題を解決するための手段】
本発明の標識装置は前記した目的を達成せんとするもので、その手段は、内部に蛍光灯、電球等の照明器具を配置し、固定式または字幕式の表示を具備し、前記照明器具によって前記表示を内照するようにした内照式、あるいは、発光素子をマトリックス状に配置した標識装置において、前記標識装置の底板に形成した水抜き孔を閉塞する弁部を備えた可撓性を有するフィルムシートを取付けたことを特徴とする。
【００１１】
また、前記フィルムシートは、前記弁部が前記水抜き孔に対して隙間を形成するようにスペーサを介して取付けられていることが望ましい。
【００１２】
【発明の実施の形態】
以下、本発明に係る標識装置の実施の形態を図１〜図３と共に説明する。
なお、標識装置１の全体的な構成は従来と変わるところはないので要部のみについて説明する。
本発明の特徴は、標識装置１における底板１２に形成した水抜き孔１２ａの下面に合成樹脂製の薄いフィルムシート４を取付け標識装置１が呼吸して外気を吸引する時に、該フィルムシート４が前記水抜き孔１２を塞ぐようにしたものである。なお、フィルムシート４は合成樹脂に限定されるものではなく、例えば、金属の薄板などであってもよい。
【００１３】
このフィルムシート４の４隅には挿通孔４１が形成されると共に前記水抜き孔１２ａを塞ぐ弁部４２は切り込み４３を形成することにより構成されている。そして、このフィルムシート４を前記標識装置１の底板１２にフィルムシート４と略同じ厚みを有する枠状のスペーサ５を介して取付けられるが、このスペーサ５の４隅にも挿通孔５１が形成されている。
【００１４】
従って、水抜きケース２の４隅に形成した挿通孔２２より、タッピングネジ等のネジ３を挿通し、フィルムシート４の挿通孔４１およびスペーサ５の挿通孔５１を介して標識装置１の底板１２に形成した取付孔１２ｂにねじ込むことによって、フィルムシート４は底板１２にスペーサ５を介して水抜きケース２と一体に固定される。なお、この固定状態において、フィルムシート４の弁部４２は水抜き孔１２ａと対応する位置に配置する必要がある。
【００１５】
次に、前記した構成に基づいて動作を図３と共に説明する。
先ず、平常状態にあっては、標識装置１内の圧力と外圧とが等しいので、フィルムシート４における弁部４２は、該フィルムシートが有する弾性力によって図３(a) に示すように水平状態を保持し、水抜き孔１２ａを開放状態にしている。この状態において、結露によって内部に溜まる水は水抜き孔１２ａ，２１を介して外部に排出される。
【００１６】
この状態において、強風が吹いて標識装置１の表面、特に、表示面１３に当たったり、あるいは、車載用の標識装置１において車両が走行することにより表面に風圧が生じると、図３(b) に示すように標識装置１の表面板が内部に湾曲するため、該標識装置１内の圧力が外気より高くなり、水抜き孔１２ａより排出される。
【００１７】
この排出される空気圧によって弁部４２は、水抜き孔１２ａから離れる方向に変位するので、フィルムシート４における弁部４２に表面張力によって溜まった僅かな水であっても水抜き孔１２ａ，２１を介して外部に排出される。
【００１８】
前記外圧によって標識装置１の内部に湾曲した表面板は、前記外圧が無くなることにより元の状態に復帰するが、この復帰時に標識装置１内は急激に負圧状態となるため、弁部４２は水抜き孔１２ａの下面側に吸引され、図３(c) に示すように水抜き孔１２ａを閉塞する。
【００１９】
そして、弁部４２が水抜き孔１２ａを閉塞した後は、弁部４２と底板１２との間隙より徐々に外気が入り込み、該弁部４２は元の水平な状態に戻る。このように、前記標識装置１内が急激に負圧状態となっても、水抜き孔１２ａが弁部４２によって閉塞されているため、凍結防止剤を含んだ外気が標識装置１内に吸引されることがなくなる。
【００２０】
従って、水抜き孔１２ａの近傍だけは腐食の可能性はあるが、塩分を含んだ湿気が内部に拡散することがなくなり、標識装置１全体の腐食を防止できる。そこで、標識装置１の底板１２の部分のみを耐腐食性とすることより耐久性を増すことが可能となる。
【００２１】
なお、本実施の形態において、フィルムシート４を底板１２に対してスペーサ５を介して取付け、弁部４２が水抜き孔１２ａより常時離開するようにしたのは、標識装置１内の少ない水分で水の表面張力によってフィルムシート４が底板１２に付着することなく必ず水抜き孔１２ａから排水されるようにして、水抜き孔１２に水が溜まって腐食することがないようにするためである。
【００２２】
【発明の効果】
本発明は前記したように、標識装置における水抜き孔に、常時は結露等によって生じる水を排水し、標識装置内部が負圧状態となった時に前記水抜き孔を閉塞する弁を取付けたことにより、凍結防止剤を含んだ湿気が内部に入り込むことがなくなり、従って、錆による腐食を防止できて信頼性および耐用年数の向上を図ることができるものである。
【００２３】
また、前記弁は常時は前記水抜き孔より離開するようにしたので、少しの水分でも常に排水が行なわれ、従って、錆による腐食を防止できるという効果を有するものである。
【図面の簡単な説明】
【図１】本発明に係る標識装置における要部の斜視図である。
【図２】同上を組み立てた状態の横断面図である。
【図３】標識装置が呼吸している状態における弁部の動作を示す説明図であり、(a) は通常時を示し、(b) は内部圧力が高くなった状態を示し、(c) は内部圧力が低下した状態を示す。
【図４】標識装置の全体を示す正面図である。
【図５】従来における水抜き孔部分の断面図である。
【図６】標識装置が呼吸するときの表示板歪み体積を示し、(a) は斜視図、(b) は側面図である。
【符号の説明】
１      標識装置
１１    照明器具
１２    底板
１２ａ  水抜き孔
４      フィルムシート
４２    弁部
５      スペーサ
【図１】
0003828994.tif 000002
【図２】
0003828994.tif 000003
【図３】
0003828994.tif 000004
【図４】
0003828994.tif 000005
【図５】
0003828994.tif 000006
【図６】
0003828994.tif 000007